【手続補正書】
【提出日】平成18年3月31日(2006.3.31)
【手続補正１】
【補正対象書類名】明細書
【補正対象項目名】特許請求の範囲
【補正方法】変更
【補正の内容】
【特許請求の範囲】
【請求項１】  ドメイン成分を有する、画像を表す画像信号を処理する方法であって、
前記画像中の最小ディテールを有する領域を選択する為の信号分析をするステップと、
前記選択領域の第一のドメイン成分に第一のアーティファクト変更を実施し、前記アーティファクトと知覚的にバランスを保つように、前記選択された領域の少なくとも１つの他のドメイン成分に少なくとも1つの他のアーティファクト変更を実施することにより、前記選択された領域のドメイン成分に複数の画像歪みアーティファクトを追加するステップと、
を有し、
前記処理された信号が画面表示される間は、バランスを保ったアーティファクトは認知されず、また前記処理された信号がアーティファクト間のバランスが壊れるように変更された場合、前記変更された信号が画面表示される間は、前記画像歪みアーティファクトの少なくとも一つが認知される、方法。
【請求項２】  前記第一のアーティファクト変更によって、前記バランスが壊れ前記変更された信号が画面表示されるときに、前記選択された領域に複数の帯が認知される、請求項１に記載の方法。
【請求項３】  前記画像歪みアーティファクトによって、前記バランスが壊れ前記変更された信号が画面表示されるときに、前記選択された領域に透かし文字が表れる、請求項１に記載の方法。
【請求項４】 前記ドメイン成分が、輝度及びクロミナンス成分が分けられたドメインの一部である、請求項１に記載の方法。
【請求項５】 前記アーティファクト変更が前記選択領域の輝度成分の強度の変更を含み、また前記少なくとも１つの他のアーティファクト変更が、前記強度変化とのバランスを知覚的に保つ、前記選択領域のクロミナンス成分の彩度の変更を含む、請求項４に記載の方法。
【請求項６】 前記信号を分析するステップが、前記画像の輝度成分中に最小ディテールを探すステップと、
もし輝度成分中に最小ディテールが見つからなかった場合には前記画像のクロミナンス成分に最小ディテールを探すステップと
を含む、請求項５に記載の方法。
【請求項７】 前記アーティファクトを変更するステップが、
アーティファクトパターンを選択するステップと、
前記アーティファクトパターンの色相を前記選択領域の色相と整合させるステップと、
前記選択領域中に適合させるように前記アーティファクトパターンの輝度成分の強度を調整するステップと、
前記選択領域中に適合させるように前記アーティファクトパターンの前記色相の彩度を変更するステップと
を含む請求項４に記載の方法。
【請求項８】 前記領域を選択するステップとアーティファクトを変更するステップは、
候補領域を選択するステップと、
前記画像に比較的一定の色相と彩度を有する候補領域を選択するステップと、
前記選択領域の前記輝度成分の強度を変えるステップと、
前記選択領域の輝度成分の強度変化と知覚的にバランスを取るように、前記選択領域のクロミナンス成分の彩度を変えるステップと
を含む、請求項４に記載の方法。
【請求項９】 前記ドメイン成分がＲＧＢドメインにあり、前記アーティファクト変更が前記ＲＧＢドメインの少なくとも２つの成分に対してなされる、請求項１に記載の方法。
【請求項１０】 前記アーティファクト変更が、画面表示された時に前記アーティファクトが知覚的にバランスを保つように、ＲＧＢ成分の強度変更を行うことを含む、請求項９に記載の方法。
【請求項１１】 画像信号によって表される、最小ディテールを有する画像領域を選択する為の前記画像信号分析をする手段と、
前記選択領域の少なくとも1つのドメイン成分に第一のアーティファクト変更を実施し、前記画像が表示されている間、前記アーティファクトと知覚的にバランスを保つように、前記選択された領域の少なくとも１つの他のドメイン成分に第二のアーティファクト変更を実施することにより、前記選択された領域の少なくとも２つのドメイン成分に画像歪みアーティファクトを追加する手段と、
を有し、
前記第一のアーティファクトと前記第二のアーティファクトの間のバランスが壊れて前記画像が表示されるときに、前記選択領域において、少なくとも１つの前記アーティファクトが認知される、画像信号処理装置。
【請求項１２】 前記ドメイン成分が、輝度及びクロミナンス成分が分けられたドメインの一部であることを特徴とした請求項１１に記載の画像信号処理装置。
【請求項１３】 前記画像信号分析をする手段が、前記画像の輝度成分中に最小ディテールを探し、もし輝度成分中に最小ディテールが見つからなかった場合には前記画像のクロミナンス成分に最小ディテールを探すことによって前記画像信号を分析する、請求項１２に記載の画像信号処理装置。
【請求項１４】 前記追加する手段が、前記選択領域の輝度成分の強度の変更を実施し、前記強度変化とのバランスを知覚的に保つように前記選択領域のクロミナンス成分の彩度の変更を実施することによって前記アーティファクト変更を加える、請求項１２に記載の画像信号処理装置。
【請求項１５】 前記領域が選択されるときに、前記追加する手段が、アーティファクトパターンを選択し、前記アーティファクトパターンの色相を前記選択領域の色相と整合させ、前記アーティファクトパターンの輝度成分の強度を変更させて前記選択領域中に適合させ、前記アーティファクトパターンの前記色相の彩度を変更させて前記選択領域中に適合させる、請求項１２に記載の画像信号処理装置。
【請求項１６】 前記画像信号分析をする手段が、前記領域を選択し、前記追加する手段が、比較的一定の色相と彩度の領域を画定し、前記選択領域の輝度成分の強度を変更させ、前記強度変化とのバランスを知覚的に保つように前記部分のクロミナンス成分の彩度の変更を実施することによって、前記アーティファクト変更を実施する、請求項１２に記載の画像信号処理装置。
【請求項１７】 デコーダと、
該デコーダの出力に応答する変換器と、
該デコーダの出力を分析して、該デコーダの出力において与えられる最小ディテールを有する画像領域を選択し、前記選択領域の少なくとも1つのドメイン成分に第一のアーティファクト変更を実施し、前記画像が表示されている間、前記アーティファクトと知覚的にバランスを保つように、前記選択された領域の少なくとも１つの他のドメイン成分に少なくとも1つの他のアーティファクト変更を実施することにより、前記選択された領域の少なくとも２つのドメイン成分に画像歪みアーティファクトを追加する、デジタル信号プロセッサと
を備える装置。
【請求項１８】 前記デジタル信号プロセッサが、前記画像の輝度成分中に最小ディテールを探し、もし輝度成分中に最小ディテールが見つからなかった場合には前記画像のクロミナンス成分に最小ディテールを探すことによって前記デコーダの出力を分析する、請求項１７に記載の装置。
【請求項１９】 前記デジタル信号プロセッサが、前記選択領域の輝度成分の強度を変更させ、該強度変更と知覚的にバランスを保つように前記選択領域のクロミナンス成分の彩度を変更させて、前記画像歪みアーティファクトを追加する、請求項１７に記載の装置。
【請求項２０】 前記領域が選択された後に、前記デジタル信号プロセッサが、輝度成分とクロミナンス成分を有するアーティファクトパターンを選択し、前記アーティファクトパターンの色相を前記選択領域の色相と整合させ、前記アーティファクトパターンの前記輝度成分の強度を調整して前記選択領域中に適合させ、前記アーティファクトパターンの前記色相の彩度を変更して前記選択領域中に適合させる、請求項１７に記載の装置。
【請求項２１】 前記デジタル信号プロセッサが、
前記領域を選択し、
前記画像において比較的一定な色相と彩度の領域を選択し、前記選択領域の輝度成分の強度を変更させ、該強度変更とバランスを保つように前記選択領域のクロミナンス成分の彩度を変更させることによって、前記アーティファクト変更を実施する、請求項１７に記載の装置。
【請求項２２】 メモリを備えるプロセッサ用製品であって、
該メモリにコード化された実行可能な複数の命令を有し、該命令は、実行されるとプロセッサに、画像信号の輝度成分とクロミナンス成分を分析させ、最小ディテール領域を選択させ、前記輝度成分及び少なくとも１つの前記クロミナンス成分について画像歪みアーティファクトを生成させ、表示されたときに前記アーティファクトが知覚的にはキャンセルされるように前記選択領域に加えられた前記アーティファクトを、前記画像信号に加えさせる、プロセッサ用製品。
【請求項２３】 前記命令は、前記プロセッサに、前記画像の輝度成分中に最小ディテールを探し、もし輝度成分中に最小ディテールが見つからなかった場合には前記画像のクロミナンス成分に最小ディテールを探すことによって前記画像信号を分析させる、請求項２２に記載のプロセッサ用製品。
【請求項２４】 前記命令は、前記プロセッサに、前記選択領域の輝度成分の強度を変更させ、該強度変更と知覚的にバランスを保つように前記選択領域のクロミナンス成分の彩度を変更させて、前記アーティファクトを追加させる、請求項２２に記載のプロセッサ用製品。
【請求項２５】 前記領域が選択された後に、前記命令は、前記プロセッサに、アーティファクトパターンを選択させ、前記アーティファクトパターンの色相を前記選択領域の色相と整合させ、前記アーティファクトパターンの輝度成分の強度を前記選択領域中に適合するように調整させ、前記アーティファクトパターンの前記色相の彩度を前記選択領域中に適合するように変更させる、請求項２２に記載のプロセッサ用製品。
【請求項２６】 前記命令は、前記プロセッサに、前記画像において、比較的一定の色相と彩度の領域を画定させ、前記選択領域の輝度成分の強度を変更させ、前記選択領域の輝度成分における前記強度変化とのバランスを知覚的に保つように、前記選択領域のクロミナンス成分の彩度の変更を実施させることによって、前記アーティファクト変更を実施させる、請求項２２に記載のプロセッサ用製品。